(57)【要約】【課題】本発明は、極めて商品価値の高い画期的なキャスター装置並びにキャスター装置を具備した家具を提供することを目的とする。【解決手段】収納ケースや棚などの家具１の下面部に設けたキャスター取付部２に、キャスター11を回転自在に設けたキャスター構造部３を回動自在に設けたキャスター装置であって、前記キャスター取付部２に設けた軸受部４若しくは軸部と回動自在に差し込み連結し得る軸部５若しくは軸受部を前記キャスター構造部３に設け、このキャスター構造部３は、片手で摘まんで回動し得る摘子状基体10の下部に前記キャスター11を回転自在に設け、このキャスター構造部３を片手操作で自由にキャスター11の向きを切り替え自在に構成したものである。【選択図】図１
2015054631.tif 000002
【特許請求の範囲】
【請求項１】
収納ケースや棚などの家具の下面部に設けたキャスター取付部に、キャスターを回転自在に設けたキャスター構造部を回動自在に設けたキャスター装置であって、前記キャスター取付部に設けた軸受部若しくは軸部と回動自在に差し込み連結し得る軸部若しくは軸受部を前記キャスター構造部に設け、このキャスター構造部は、片手で摘まんで回動し得る摘子状基体の下部に前記キャスターを回転自在に設け、このキャスター構造部を片手操作で自由に前記キャスターの向きを切り替え自在に構成したものであり、前記キャスター取付部に設けた前記軸受部若しくは前記軸部を中心として囲繞する第一囲繞部を前記キャスター取付部に設けるとともに、前記キャスター構造部に設けた前記軸部若しくは前記軸受部を中心として囲繞する第二囲繞部を前記キャスター構造部に設け、前記軸部と前記軸受部とを差し込み連結することに伴い、前記第一囲繞部，前記第二囲繞部の一方が他方に対して回動自在に被嵌連結し得るように前記第一囲繞部及び前記第二囲繞部の形状を設定し、前記キャスター構造部を回動させた際、前記第一囲繞部若しくは前記第二囲繞部に設けた位置決め凸部と係脱自在に凹凸係合することで前記キャスター構造部の回動を阻止して位置決めする位置決め凹部を前記第二囲繞部若しくは前記第一囲繞部に設け、前記位置決め凸部，前記位置決め凹部の少なくとも一方を複数設けて、前記キャスター構造部を回動させた際の複数の所定回動角度位置で位置決めが行われ、前記キャスターの向きを切り換え自在に構成したことを特徴とするキャスター装置。
【請求項２】
前記第一囲繞部，前記第二囲繞部の少なくとも一方は他方に対して回動自在に被嵌連結し得る筒状であり、前記位置決め凸部は、前記第一囲繞部若しくは前記第二囲繞部の外周面に突設した構成であり、前記位置決め凹部は、筒状の前記第二囲繞部若しくは前記第一囲繞部の長さ方向にして開口端部に開口するスリットを設けて構成したことを特徴とする請求項１記載のキャスター装置。
【請求項３】
前記第一囲繞部，前記第二囲繞部の少なくとも一方は他方に対して回動自在に被嵌連結し得る筒状であり、前記位置決め凸部は、筒状の前記第一囲繞部若しくは前記第二囲繞部の内周面に突設した構成であり、前記位置決め凹部は、筒状の前記第二囲繞部若しくは前記第一囲繞部の長さ方向にして開口端部に開口するスリットを設けて構成したことを特徴とする請求項１記載のキャスター装置。
【請求項４】
前記キャスター構造部は、前記軸部若しくは軸受部を有する前記摘子状基体と、この摘子状基体に着脱自在に設ける前記キャスターとで構成し、前記摘子状基体の下部を平坦面部とし、この平坦面部に前記キャスターを取り付けるキャスター取付凹部を設けるとともに、このキャスター取付凹部を構成する対向内壁部夫々に、前記キャスターの枢着軸を着脱自在に嵌合枢着する嵌合凹溝を設け、前記キャスター取付凹部内に前記キャスターを取り付けた際、前記キャスターの少なくとも一部が前記平坦面部から突出するように構成したことを特徴とする請求項１〜３いずれか１項に記載のキャスター装置。
【請求項５】
前記摘子状基体の外周面には上下方向に長さを有する複数の指掛け凹条部を設けたことを特徴とする請求項１〜４のいずれか１項に記載のキャスター装置。
【請求項６】
収納ケースや棚などの家具の下面部に設けるキャスター取付部に、キャスターを回転自在に設けたキャスター構造部を回動自在に設けたキャスター装置であって、前記キャスター取付部に設けた軸受部若しくは軸部と回動自在に差し込み連結し得る軸部若しくは軸受部を前記キャスター構造部に設け、このキャスター構造部は、片手で摘まんで回動し得る摘子状基体の下部に前記キャスターを回転自在に設け、このキャスター構造部を片手操作で自由にキャスターの向きを切り替え自在に構成したものであり、前記キャスター取付部に設けた前記軸受部若しくは前記軸部を中心として囲繞する第一囲繞部を前記キャスター取付部に設けるとともに、前記キャスター構造部に設けた前記軸部若しくは前記軸受部を中心として囲繞する第二囲繞部を前記キャスター構造部に設け、前記軸部と前記軸受部とを差し込み連結することに伴い、前記第一囲繞部，前記第二囲繞部の一方が他方に対して回動自在に被嵌連結し得るように前記第一囲繞部及び前記第二囲繞部の形状を設定し、前記キャスター構造部を回動させた際、前記軸受部若しくは前記軸部に設けた位置決め凸部と係脱自在に凹凸係合することで前記キャスター構造部の回動を阻止して位置決めする位置決め凹部を前記軸部若しくは前記軸受部に設け、前記位置決め凸部，前記位置決め凹部の少なくとも一方を複数設けて、前記キャスター構造部を回動させた際の複数の所定回動角度位置で位置決めが行われ、前記キャスターの向きを切り換え自在に構成したことを特徴とするキャスター装置。
【請求項７】
請求項１〜６のいずれか１項に記載のキャスター装置を具備した家具。
【発明の詳細な説明】
【技術分野】
【０００１】
本発明は、例えば、衣類等を収納するのに便利な収納ケースや、物を載置する棚や椅子などの家具に設けるキャスター装置並びにキャスター装置を具備した家具に関するものである。
【背景技術】
【０００２】
従来から、例えば、衣類等を収納するのに便利な収納ケースや、物を載置する棚や椅子などの家具に設けるキャスター装置として、例えば実用新案登録第３０１０９２２号に開示されるようなキャスター装置（以下、従来例）が提案されている。
【０００３】
この従来例は、家具の下面部四隅部分に対向するリブを垂設し、このリブ夫々にキャスターの軸部を回動自在に嵌合枢着する嵌合凹溝を設けた構成であり、よって、家具はキャスターの回転により床面上をスムーズに移動させることができる。
【０００４】
ところで、従来例は、リブを家具における前後左右方向の四方向に垂設し、このリブ夫々に、キャスターの軸部を着脱自在に嵌合枢着する嵌合凹溝を設けており、よって、四方向の各リブのうちの対向する左右リブの嵌合凹溝、若しくは対向する前後リブの嵌合凹溝を選択してキャスターの軸部を嵌合枢着することで、キャスターが回転する向きを左右方向と前後方向とに切り替えすることができる。
【先行技術文献】
【特許文献】
【０００５】
【特許文献１】実用新案登録第３０１０９２２号公報
【発明の概要】
【発明が解決しようとする課題】
【０００６】
本発明者は、前述したキャスター装置について更なる開発を進め、その結果、極めて商品価値の高い画期的なキャスター装置並びにキャスター装置を具備した家具を開発した。
【課題を解決するための手段】
【０００７】
添付図面を参照して本発明の要旨を説明する。
【０００８】
収納ケースや棚などの家具１の下面部に設けたキャスター取付部２に、キャスター11を回転自在に設けたキャスター構造部３を回動自在に設けたキャスター装置であって、前記キャスター取付部２に設けた軸受部４若しくは軸部と回動自在に差し込み連結し得る軸部５若しくは軸受部を前記キャスター構造部３に設け、このキャスター構造部３は、片手で摘まんで回動し得る摘子状基体10の下部に前記キャスター11を回転自在に設け、このキャスター構造部３を片手操作で自由に前記キャスター11の向きを切り替え自在に構成したものであり、前記キャスター取付部２に設けた前記軸受部４若しくは前記軸部を中心として囲繞する第一囲繞部８を前記キャスター取付部２に設けるとともに、前記キャスター構造部３に設けた前記軸部５若しくは前記軸受部を中心として囲繞する第二囲繞部９を前記キャスター構造部３に設け、前記軸部５と前記軸受部４とを差し込み連結することに伴い、前記第一囲繞部８，前記第二囲繞部９の一方が他方に対して回動自在に被嵌連結し得るように前記第一囲繞部８及び前記第二囲繞部９の形状を設定し、前記キャスター構造部３を回動させた際、前記第一囲繞部８若しくは前記第二囲繞部９に設けた位置決め凸部６と係脱自在に凹凸係合することで前記キャスター構造部３の回動を阻止して位置決めする位置決め凹部７を前記第二囲繞部９若しくは前記第一囲繞部８に設け、前記位置決め凸部６，前記位置決め凹部７の少なくとも一方を複数設けて、前記キャスター構造部３を回動させた際の複数の所定回動角度位置で位置決めが行われ、前記キャスター11の向きを切り換え自在に構成したことを特徴とするキャスター装置に係るものである。
【０００９】
また、前記第一囲繞部８，前記第二囲繞部９の少なくとも一方は他方に対して回動自在に被嵌連結し得る筒状であり、前記位置決め凸部６は、前記第一囲繞部８若しくは前記第二囲繞部９の外周面に突設した構成であり、前記位置決め凹部７は、筒状の前記第二囲繞部９若しくは前記第一囲繞部８の長さ方向にして開口端部に開口するスリット14を設けて構成したことを特徴とする請求項１記載のキャスター装置に係るものである。
【００１０】
また、前記第一囲繞部８，前記第二囲繞部９の少なくとも一方は他方に対して回動自在に被嵌連結し得る筒状であり、前記位置決め凸部６は、筒状の前記第一囲繞部８若しくは前記第二囲繞部９の内周面に突設した構成であり、前記位置決め凹部７は、筒状の前記第二囲繞部９若しくは前記第一囲繞部８の長さ方向にして開口端部に開口するスリット14を設けて構成したことを特徴とする請求項１記載のキャスター装置に係るものである。
【００１１】
また、前記キャスター構造部３は、前記軸部５若しくは軸受部を有する前記摘子状基体10と、この摘子状基体10に着脱自在に設ける前記キャスター11とで構成し、前記摘子状基体11の下部を平坦面部12とし、この平坦面部12に前記キャスター11を取り付けるキャスター取付凹部13を設けるとともに、このキャスター取付凹部13を構成する対向内壁部13ａ夫々に、前記キャスター11の枢着軸11ｂを着脱自在に嵌合枢着する嵌合凹溝15を設け、前記キャスター取付凹部13内に前記キャスター11を取り付けた際、前記キャスター11の少なくとも一部が前記平坦面部12から突出するように構成したことを特徴とする請求項１〜３いずれか１項に記載のキャスター装置に係るものである。
【００１２】
また、前記摘子状基体10の外周面には上下方向に長さを有する複数の指掛け凹条部10ａを設けたことを特徴とする請求項１〜４のいずれか１項に記載のキャスター装置に係るものである。
【００１３】
また、収納ケースや棚などの家具１の下面部に設けるキャスター取付部２に、キャスター11を回転自在に設けたキャスター構造部３を回動自在に設けたキャスター装置であって、前記キャスター取付部２に設けた軸受部４若しくは軸部と回動自在に差し込み連結し得る軸部５若しくは軸受部を前記キャスター構造部３に設け、このキャスター構造部３は、片手で摘まんで回動し得る摘子状基体10の下部に前記キャスター11を回転自在に設け、このキャスター構造部３を片手操作で自由にキャスター11の向きを切り替え自在に構成したものであり、前記キャスター取付部２に設けた前記軸受部４若しくは前記軸部を中心として囲繞する第一囲繞部８を前記キャスター取付部２に設けるとともに、前記キャスター構造部３に設けた前記軸部５若しくは前記軸受部を中心として囲繞する第二囲繞部９を前記キャスター構造部３に設け、前記軸部５と前記軸受部４とを差し込み連結することに伴い、前記第一囲繞部８，前記第二囲繞部９の一方が他方に対して回動自在に被嵌連結し得るように前記第一囲繞部８及び前記第二囲繞部９の形状を設定し、前記キャスター構造部３を回動させた際、前記軸受部４若しくは前記軸部５に設けた位置決め凸部６と係脱自在に凹凸係合することで前記キャスター構造部３の回動を阻止して位置決めする位置決め凹部７を前記軸部５若しくは前記軸受部４に設け、前記位置決め凸部６，前記位置決め凹部７の少なくとも一方を複数設けて、前記キャスター構造部３を回動させた際の複数の所定回動角度位置で位置決めが行われ、前記キャスター11の向きを切り換え自在に構成したことを特徴とするキャスター装置に係るものである。
【００１４】
また、請求項１〜６のいずれか１項に記載のキャスター装置を具備した家具に係るものである。
【発明の効果】
【００１５】
本発明は上述のように構成したから、前述した従来例と異なり、キャスターの回転する向きをキャスター構造部を片手で摘まんで水平方向に回動させるだけで簡易且つ迅速に切り替えることができ、また、このキャスター構造部を水平方向へ回動させた際の複数の所定回動角度位置で位置決めが行われるから、家具を移動させたい方向にキャスターの回転方向を確実に固定することができるなど、極めて操作性が良く、しかも、その構造上、シンプルな構造でありながら堅固な連結を達成しつつ前述した作用効果を確実に発揮することになるなど、極めて商品価値の高い画期的なキャスター装置並びにキャスター装置を具備した家具となる。
【００１６】
また、請求項２，３，４記載の発明においては、よりシンプルな構造でありながら堅固な連結を達成しつつ前述した作用効果を確実に発揮することになるなど、極めて商品価値の高い画期的なキャスター装置並びにキャスター装置を具備した家具となる。
【００１７】
また、請求項５記載の発明においては、キャスター構造部をしっかり摘まむことができ、このキャスター構造部を水平方向へ回動させる際の操作性が極めて良いなど、極めて商品価値の高い画期的なキャスター装置並びにキャスター装置を具備した家具となる。
【図面の簡単な説明】
【００１８】
【図１】本実施例を示す斜視図である。
【図２】本実施例の要部を示す分解斜視図である。
【図３】本実施例の要部の説明断面図である。
【図４】本実施例の要部を示す斜視図である。
【図５】本実施例の要部を示す底面図である。
【図６】本実施例の要部を示す平面図である。
【図７】本実施例の要部の動作説明図である。
【発明を実施するための形態】
【００１９】
好適と考える本発明の実施形態（発明をどのように実施するか）を、図面に基づいて本発明の作用を示して簡単に説明する。
【００２０】
例えば、家具１の移動方向を切り換えたい場合、キャスター構造部３の摘子状基体10を片手で摘まんで回動させると、キャスター11の回転する向きが変わる。このキャスター構造部３の回動操作は、あたかもドアのノブを回動させるような感覚で安定的に回動させることができ、キャスター11の向きの切り替え操作が極めて良好に行える。
【００２１】
また、本発明は、キャスター構造部３を回動させた際、位置決め凸部６と位置決め凹部７とが係脱自在に凹凸係合することで、キャスター構造部３の回動を阻止して位置決めが行われ、しかも、位置決め凸部６，位置決め凹部７の少なくとも一方を複数設けており、キャスター構造部３を回動させた際の複数の所定回動角度位置で位置決めが行われ、キャスター11の向きを切り換えられる。
【００２２】
従って、本発明は、キャスター構造部３の摘子状基体10を摘まんで回動させてキャスター11の向きを変えることも、このキャスター構造部３を回動させた後にキャスター11の向きを位置決めして固定することも簡易且つ迅速に行えることになる。
【００２３】
また、本発明は、前述したキャスター構造部３の回動は、軸受部４に対して軸部５が軸受けされた状態で行われることの他、更に、第一囲繞部８と第二囲繞部９とが軸受けされた状態で回動するによっても行われており、よって、キャスター取付部２に対するキャスター構造部３の堅固な連結を達成しつつ前述した作用効果を確実に発揮することになる。
【実施例】
【００２４】
本発明の具体的な実施例について図面に基づいて説明する。
【００２５】
本実施例は、収納ケースや棚などの家具１の下面部に設けたキャスター取付部２に、キャスター11を回転自在に設けたキャスター構造部３を回動自在に設けたキャスター装置Ｊである。
【００２６】
本実施例では、家具１として、図１に図示したように容器本体１ａの上部開口部に蓋体１ｂを設けた合成樹脂製の収納ケースを採用しているが、家具１としては図示した蓋付き収納ケースの他にも、引き出し式収納ケースや収納ボックスや棚やテーブルや椅子などでも良く、また、素材も合成樹脂製に限らないなど、本実施例の特性を発揮する構成であれば適宜採用し得るものである。
【００２７】
以下、本実施例に係る構成各部について詳細な説明をする。
【００２８】
キャスター取付部２は、図２に図示したように家具１の下面部の四箇所（四隅部分）に一体成形しており、各箇所に筒状部４を垂設しており、この筒状部４は後述するキャスター構造部３の軸部５と回動自在に差し込み連結し得る軸受部４として構成している。尚、キャスター取付部２に軸部５を設け、キャスター構造部３に軸受部４を設けても良い。
【００２９】
また、軸受部４の軸受孔にして先端開口部には環状（帯状）の径小部４ａを設けており、この径小部４ａは後述する軸部５に設けた環状の径大部５ａよりも径小に設定し、この径小部４ａに軸部５の径大部５ａを合成樹脂の変形を利用して圧入して差し込むことで抜け止め係止することになり、且つ、反対に強く引けば係脱して軸部５を引き抜くことができる。
【００３０】
また、軸受部４の周辺部位には該軸受部４を中心とする平面視円筒状の第一囲繞部８を設けている。
【００３１】
この第一囲繞部８は、前述した軸部５と軸受部４とを差し込み連結することに伴い、後述する第二囲繞部９が回動自在に被嵌連結するように構成している。
【００３２】
尚、第一囲繞部８の形状は筒状に限らず円柱状でも良く、また、第二囲繞部９に対して第一囲繞部８が回動自在に被嵌連結するように構成しても良い。この場合、第一囲繞部８の内周面に後述する位置決め凸部６を設け、この位置決め凸部６と凹凸係合する後述する位置決め凹部７を第二囲繞部９に設けることになる。
【００３３】
また、第一囲繞部８の外周面には複数の位置決め凸部６を設けている。
【００３４】
この位置決め凸部６は、第一囲繞部８の外周面所定位置に上面が湾曲する蒲鉾型形状の凸条を設けて構成しており、キャスター構造部３を回動させた際、第二囲繞部９に設けた位置決め凹部７と係脱自在に凹凸係合することでキャスター構造部３の回動を阻止して位置決めする位置決め手段として構成している。
【００３５】
また、位置決め凸部６は、図３に図示したようにキャスター構造部３の３６０°の回動角度範囲における９０°毎に計４つ設けている。
【００３６】
従って、キャスター構造部３は、水平方向に回動させた際、９０°の回動角度位置で位置決めが行われることになる。即ち、後述するキャスター11が前後方向と左右方向に向いた状態で位置決めされるように構成している。
【００３７】
尚、この位置決め凸部６は、前述したように第二囲繞部９に対して第一囲繞部８が回動自在に被嵌連結するように構成した場合には、第一囲繞部８の内周面に設けることになり、また、位置決め凸部６及び位置決め凹部７の数や形状も適宜変更しても良く、また、位置決め凸部６を第二囲繞部９に設け、位置決め凹部７を筒状とした第一囲繞部８に設けても良い。
【００３８】
キャスター構造部３は、図１〜６に図示したように摘子状基体10と、この摘子状基体10に着脱自在に設けるキャスター11とで構成している。
【００３９】
摘子状基体10は、図２に図示したように適宜な合成樹脂製の部材で一体成形した中空状体であり、その上部中央位置に前述したキャスター取付部２の軸受部４に差し込み係止する円筒状の軸部５を有し、この軸部５を軸受部６に差し込み係止することでキャスター構造部３はキャスター取付部２に対して水平方向に回動自在に連結することができる。尚、軸部５は円柱状でも良い。
【００４０】
また、軸部５の周面所定位置には環状（帯状）の径大部５ａを設けており、軸部５を前述した軸受部４に差し込んだ際、この径大部５ａは軸受部４の径小部４ａを圧入して通過して抜け止め係止するように構成している。
【００４１】
また、軸部５の周辺部位には該軸部５を中心として囲繞する平面視円筒状の第二囲繞部９を設けている。
【００４２】
この第二囲繞部９は、軸部５と軸受部４とを差し込み連結することに伴い、前述した第一囲繞部８に回動自在に被嵌連結するように構成している。
【００４３】
尚、第二囲繞部９の形状は筒状に限らず円柱状でも良く、この第二囲繞部９に対して第一囲繞部８を回動自在に被嵌連結するように構成しても良い。
【００４４】
また、第二囲繞部９には複数（４つ）の位置決め凹部７を設けている。
【００４５】
この位置決め凹部７は、筒状の第二囲繞部９の長さ方向にして開口端部に開口するスリット14を設けて構成している。
【００４６】
具体的には、図６に図示したようにキャスター構造部３の３６０°の回動角度範囲における９０°毎に計４本のスリット14を設けており、このスリット14を設けることで第二囲繞部９は合成樹脂の戻り弾性付勢を伴った径方向への拡縮が自在となる。
【００４７】
従って、キャスター構造部３を片手で摘まんで水平方向に回動させた際、第一囲繞部８の位置決め凸部６は、第二囲繞部９を内方（縮径方向）への戻り弾性に抗しながら外方（拡径方向）へ押しやって位置決め凹部７から係脱し、そのまま第二囲繞部９を拡径した状態で該第二囲繞部９の内面を摺動した後、第二囲繞部９の内方（径縮方向）への戻り弾性付勢を伴いながら他の位置決め凹部７に凹凸係合する。つまり、キャスター構造部３に対する弾性付勢を伴った堅固な位置決め固定が達成される。
【００４８】
尚、位置決め凸部６と位置決め凹部７とから成る位置決め構造は、軸部５と軸受部４との間に設けても良い。
【００４９】
また、摘子状基体11は、下部に平坦面部12を設けており、この平坦面部12にキャスター11を取り付けるキャスター取付凹部13を設け、このキャスター取付凹部13内にキャスター11を取り付けた際、キャスター11の少なくとも一部（車輪部）が平坦面部12から突出するように構成している。
【００５０】
具体的には、このキャスター取付凹部13を構成する対向内壁部13ａ夫々に、キャスター11の枢着軸11ｂを着脱自在に嵌合枢着する嵌合凹溝15を設け、この嵌合凹溝15の開口端部は枢着軸11ｂの径よりも巾狭に設定し、枢着軸11ｂを合成樹脂の戻り弾性付勢を伴いながら圧入嵌合して抜け止め係止し、且つ、引き抜きにより係脱可能に構成している。
【００５１】
また、キャスター取付凹部13の左右部位には、嵌合凹溝15に枢着軸11ｂを圧入嵌合した際に、枢着軸11ｂを逃げる逃げ凹部13ｂが設けている。
【００５２】
また、摘子状基体10の平坦面部12は、キャスター取付凹部13からキャスター11を取り外した状態においては接地部として機能し、安定的な載置状態が実現する。
【００５３】
また、摘子状基体10の外周面（側周面）には、上下方向に長さを有する複数（４つ）の指掛け凹条部10ａを設けている。
【００５４】
従って、例えばドアのノブを摘まむように片方の手の指でしっかり摘まんだ状態でキャスター構造部３（摘子状基体10）を水平方向に回動させることができる。この点、位置決め凸部６と位置決め凹部７とから成る位置決め構造の位置決め力（係合力）を強めに設定することができる。
【００５５】
キャスター11は、図２に図示したように適宜な合成樹脂製の部材で形成したものであり、所定巾を有する円柱形状の車輪部11ａとこの車輪部11ａの左右側面中心部夫々から突出する枢着軸11ｂとで構成している。
【００５６】
本実施例は上述のように構成したから、例えば、家具１の移動方向を切り換えたい場合、キャスター構造部３の摘子状基体10を片手で摘まんで回動させると、キャスター11の回転する向きが変わる。このキャスター構造部３の回動操作は、あたかもドアのノブを回動させるような感覚で安定的に回動させることができ、キャスター11の向きの切り替え操作が極めて良好に行える。
【００５７】
また、本実施例は、キャスター構造部３を回動させた際、位置決め凸部６と位置決め凹部７とが係脱自在に凹凸係合することで、キャスター構造部３の回動を阻止して位置決めが行われ、しかも、位置決め凸部６及び位置決め凹部７の双方を複数設けており、キャスター構造部３を回動させた際の複数の所定回動角度位置（９０°回動角度位置）で位置決めが行われ、キャスター11の向きを切り換えられる。
【００５８】
従って、本実施例は、キャスター構造部３の摘子状基体10を摘まんで回動させてキャスター11の向きを変えることも、このキャスター構造部３を回動させた後にキャスター11の向きを９０°ごとに位置決めして固定することも簡易且つ迅速に行えることになる。
【００５９】
また、本実施例は、キャスター構造部３の回動は、軸受部４に対して軸部５が軸受けされた状態で行われることの他、更に、第一囲繞部８と第二囲繞部９とが軸受けされた状態で回動するによっても行われており、即ち、複数（２つ）の軸受け構造であり、よって、それだけキャスター取付部２に対するキャスター構造部３の堅固な連結を達成しつつ前述した作用効果を確実に発揮することになる。
【００６０】
尚、本発明は、本実施例に限られるものではなく、各構成要件の具体的構成は適宜設計し得るものである。
【符号の説明】
【００６１】
１  家具
２  キャスター取付部
３  キャスター構造部
４  軸受部
５  軸部
６  位置決め凸部
７  位置決め凹部
８  第一囲繞部
９  第二囲繞部
10  摘子状基体
10ａ  指掛け凹条部
11  キャスター
11ｂ  枢着軸
12  平坦面部
13  キャスター取付凹部
13ａ  対向内壁部
14  スリット
15  嵌合凹溝
【図１】
2015054631.tif 000003
【図２】
2015054631.tif 000004
【図３】
2015054631.tif 000005
【図４】
2015054631.tif 000006
【図５】
2015054631.tif 000007
【図６】
2015054631.tif 000008
【図７】
2015054631.tif 000009